(57)【要約】      （修正有）【課題】紛失若しくは置き忘れたメガネを容易に探知できるメガネ探知装置およびこのメガネ探知装置により容易に探知可能なメガネを提供する。【解決手段】外部から送信された電波を受信して識別情報を発信するタグ装置３をメガネフレーム若しくはレンズに装着し、タグ装置３から発信された識別情報を受信する受信部、探知対象のメガネに対応する識別情報を記憶する記憶手段、受信手段で受信された識別情報と記憶装置に記憶された識別情報とを比較する比較手段、比較手段による比較により受信部で受信された識別情報と記憶手段に記憶された識別情報とが一致すると報知を行う報知音発生部を具備したメガネ探知装置２０。【選択図】図２
2017003672.tif 000002
【特許請求の範囲】
【請求項１】
外部から送信された電波を受信して識別情報を発信するタグ装置をメガネフレーム若しくはレンズに装着したメガネを探知するメガネ探知装置であって、
前記タグ装置から発信された識別情報を受信する受信手段と、
探知対象のメガネに対応する識別情報を記憶する記憶手段と、
前記受信手段で受信された識別情報と前記記憶装置に記憶された識別情報とを比較する比較手段と、
前記比較手段による比較により前記受信手段で受信された識別情報と前記記憶手段に記憶された識別情報とが一致すると報知を行う報知手段と
を具備したことを特徴とするメガネ探知装置。
【請求項２】
前記報知手段を、前記受信手段で受信された識別情報と前記記憶手段に記憶された識別情報とが一致した場合、前記受信手段で受信された識別情報の受信強度に関わらず一定の報知音を発生するように制御する通常探知モード制御手段と、
前記報知手段を、前記受信手段で受信された識別情報と前記記憶手段に記憶された識別情報とが一致した場合、前記受信手段で受信された識別情報の受信強度に対応して異なる報知音を発生するように制御する詳細探知モード制御手段と、
前記通常探知モード制御手段と前記詳細探知モード制御手段とを切り替える切替手段と
を具備することを特徴とする請求項１に記載のメガネ探知装置。
【請求項３】
外部から送信された電波を受信して識別情報を発信するメガネに装着されたタグ装置からの前記識別情報を受信する受信手段と、探知対象のメガネに対応する識別情報を記憶する記憶手段と、前記受信手段で受信された識別情報と前記記憶手段に記憶された識別情報とを比較する比較手段と、前記比較手段による比較により前記受信手段で受信された識別情報と前記記憶手段に記憶された識別情報とが一致すると報知を行う報知手段とを具備するメガネ探知装置により探知可能なメガネであって、
メガネフレーム若しくはレンズに前記タグ装置を装着したことを特徴とするメガネ。
【発明の詳細な説明】
【技術分野】
【０００１】
この発明は、紛失若しくは置き忘れたメガネを容易に探知できるメガネ探知装置およびこのメガネ探知装置により容易に探知可能なメガネに関する。
【背景技術】
【０００２】
メガネ、特に老眼が進んでいる人が近眼鏡を装着して作業する場合には、近くのものが見えにくくなる場合があるので、近くのものを見るためにこのメガネを外す場合がある。また、老眼鏡を装着して作業を行う場合も、遠くのものが見えにくくなるので、遠くのものを見るためにこのメガネを外す場合がある。
【０００３】
そして、この外したメガネは再作業のために近くに置く場合が多いが、このとき他の用事が生じてそのまま作業を中断した場合等には、外したメガネを置いた場所が分からなくなくなってしまったり、メガネを外してから時間がたってしまうと、メガネを置いた場所を思いだせない場合がある。
【０００４】
この場合のメガネを探す作業は非常に多くの労力を有するのが通常である。
【０００５】
従来、メガネのフレーム等に外部から送信された電波を受信して識別情報を送信するタグ装置を装着したメガネとして、特許文献１〜３に記載されたものがある。
【０００６】
しかし、特許文献１〜３に記載されたものは、在庫管理、生産管理を行うためのデータ、若しくはメガネ作成のためのデータを格納するもので、紛失したメガネを探すためにこの種のタグ装置を装着したメガネはない。
【先行技術文献】
【特許文献】
【０００７】
【特許文献１】実用新案登録第３１０３０８０号公報
【特許文献２】特開２００７-１０１３号公報
【特許文献３】特開２００７-１０２１３８号公報
【発明の概要】
【発明が解決しようとする課題】
【０００８】
そこで、この発明は、紛失若しくは置き忘れたメガネを容易に探知できるメガネ探知装置およびこのメガネ探知装置により容易に探知可能なメガネを提供することを目的とする。
【課題を解決するための手段】
【０００９】
上記目的を達成するため、請求項１の発明は、外部から送信された電波を受信して識別情報を発信するタグ装置をメガネフレーム若しくはレンズに装着したメガネを探知するメガネ探知装置であって、前記タグ装置から発信された識別情報を受信する受信手段と、探知対象のメガネに対応する識別情報を記憶する記憶手段と、前記受信手段で受信された識別情報と前記記憶手段に記憶された識別情報とを比較する比較手段と、前記比較手段による比較により前記受信手段で受信された識別情報と前記記憶手段に記憶された識別情報とが一致すると報知を行う報知手段とを具備したことを特徴とする。
【００１０】
請求項２の発明は、請求項１の発明において、前記報知手段を、前記受信手段で受信された識別情報と前記記憶手段に記憶された識別情報とが一致した場合、前記受信手段で受信された識別情報の受信強度に関わらず一定の報知音を発生するように制御する通常探知モード制御手段と、前記報知手段を、前記受信手段で受信された識別情報と前記記憶手段に記憶された識別情報とが一致した場合、前記受信手段で受信された識別情報の受信強度に対応して異なる報知音を発生するように制御する詳細探知モード制御手段と、前記通常探知モード制御手段と前記詳細探知モード制御手段とを切り替える切替手段とを具備することを特徴とする。
【００１１】
請求項３の発明は、外部から送信された電波を受信して識別情報を発信するメガネに装着されたタグ装置からの前記識別情報を受信する受信手段と、探知対象のメガネに対応する識別情報を記憶する記憶手段と、前記受信手段で受信された識別情報と前記記憶装置に記憶された識別情報とを比較する比較手段と、前記比較手段による比較により前記受信手段で受信された識別情報と前記記憶装置に記憶された識別情報とが一致すると報知を行う報知手段とを具備するメガネ探知装置により探知可能なメガネであって、メガネフレーム若しくはレンズに前記タグ装置を装着したことを特徴とする。
【発明の効果】
【００１２】
この発明は、外部から送信された電波を受信して識別情報を発信するタグ装置をメガネフレーム若しくはレンズに装着し、前記タグ装置から発信された識別情報を受信する受信手段と、探知対象のメガネに対応する識別情報を記憶する記憶手段と、前記受信手段で受信された識別情報と前記記憶装置に記憶された識別情報とを比較する比較手段と、前記比較手段による比較により前記受信手段で受信された識別情報と前記記憶装置に記憶された識別情報とが一致すると報知を行う報知手段とを具備したメガネ探知装置で当該メガネを探知するように構成したので、紛失若しくは置き忘れたメガネを容易に探知することができるという効果を奏する。
【図面の簡単な説明】
【００１３】
【図１】図１は、この発明に係るメガネの一実施例を示す図である。
【図２】図２は、この発明に係るメガネ探知装置の使用例を説明する図である。
【図３】図３は、図２に示したメガネ探知装置の一実施例の詳細構成を示すブロック図である。
【図４】図４は、図３に示したメガネ探知装置の動作を説明するフローチャートである。
【発明を実施するための形態】
【００１４】
以下、この発明に係わるメガネ探知装置およびメガネの実施例を添付図面を参照して詳細に説明する。
【００１５】
図１は、この発明に係わるメガネの一実施例を示す図である。
【００１６】
図１に示すメガネ１０は、メガネ探知装置２０（図２参照）により、紛失若しくは置き忘れた場合に容易に探知することが可能なように、メガネフレーム１の、例えば、鎧部１１に、外部から送信された電波を受信して識別情報を発信するタグ装置３が装着されている。このタグ装置３としては、メガネ探知装置２０から発信された電波をエネルギー源として動作する周知のパッシブタイプのＩＣタグを用いることができる。
【００１７】
なお、図１に示す実施例では、タグ装置３をメガネフレーム１の鎧部１１に装着するように構成したが、このタグ装置３を、メガネフレーム１の他の部分、例えば、メガネフレーム１のテンプル部１２若しくはブリッジ部１３等に装着してもよい。また、このタグ装置３は、メガネフレーム１上ではなく、レンズ２上の視野を妨げない部分に装着するようにしてもよい。
【００１８】
図２は、この発明に係るメガネ探知装置２０の使用例を説明する図である。この発明に係るメガネ探知装置２０は、図１に示すようなタグ装置３を装着したメガネ１０の探知を行うもので、メガネ１０の紛失若しくはおき忘れ等によるメガネ１０の探知時には、メガネ１０に装着されたタグ装置３に対して、該タグ装置３から該メガネ１０固有の識別情報を発信に十分な電波を送信する。このメガネ探知装置２０から送信された電波は、メガネ１０に装着されたタグ装置３により受信され、タグ装置３は、この電波の受信に応答して当該メガネ１０に固有の識別情報を含む電波を発信する。
【００１９】
タグ装置３から発信された当該メガネ１０に固有の識別情報を含む電波は、メガネ探知装置２０で受信され、ここで、タグ装置３から発信された電波に含まれる識別情報と予め記憶した探知対象のメガネ１０の識別情報とを比較し、両者が一致するか否かが判断がなされる。
【００２０】
この判断により、タグ装置３から発信された電波に含まれる識別情報が探知対象のメガネ１０の識別情報と一致すると、探知対象のメガネ１０は、このメガネ探知装置２０の近傍に存在するとしてメガネ探知装置２０からその報知を行う。
【００２１】
なお、以下に説明する実施例では、探知対象のメガネ１０が近傍に存在することを示すメガネ探知装置２０からの報知として、例えば、一定周期の「ピッ」という報知音を発生するように構成する。しかし、この報知は、一定周期の「ピッ」という報知音に代えて「メガネが近くにあります」という音声案内の繰り返し、または、音声ではなく振動により報知を行うようにしてもよい。
【００２２】
図３は、図２に示したメガネ探知装置の一実施例の詳細構成を示すブロック図である。図３に示すメガネ探知装置２０は、探知対象のメガネ１０のタグ装置３に対して探知用の電波を送信する送信部２１と、このメガネ探知装置２０の送信部２１から送信された探知用の電波をエネルギー源としてメガネ１０のタグ装置３から発信された当該メガネ１０に固有の識別情報を含む電波を受信する受信部２２と、探知対象のメガネ１０の識別情報を入力する識別情報入力部２３と、モード切替部２４と、探知対象のメガネ１０がこのメガネ探知装置２０の近傍に存在することを報知する報知音発生部２５と、このメガネ探知装置２０の全体動作を統括制御する制御部２６とを具備して構成される。
【００２３】
制御部２６は、識別情報入力部２３から入力された探知対象のメガネ１０の識別情報を図示しない記憶手段に予め記憶し、受信部２２でメガネ１０のタグ装置３から発信された当該メガネ１０に固有の識別情報を含む電波を受信すると、この受信した電波に含まれる識別情報と予め記憶した識別情報とを比較して、両者が一致すると、探知対象のメガネ１０がこのメガネ探知装置２０の近傍に存在することを報知する報知音を報知音発生部２５から発生させる。
【００２４】
モード切替部２４は、このメガネ探知装置２０による探知対象のメガネ１０の探知を迅速に行うことができるように、報知音発生部２５から発生させる報知音を、通常探知モードと詳細探知モードとに切り替えるものである。
【００２５】
すなわち、このメガネ探知装置２０は、通常探知モードにおいては、探知対象のメガネ１０がこのメガネ探知装置２０の近傍に存在することを逸早く示すために、受信した識別情報が予め記憶した識別情報と一致すると、受信部２２での電波の受信強度に関わりなく一定の周期、一定の音量の「ピッ」という報知音を報知音発生部２５から発生させる。
【００２６】
一方、通常探知モードで探知対象のメガネ１０を検知した後の検知詳細探知モードにおいては、受信部２２での探知対象のメガネ１０のタグ装置３からの電波の受信強度に対応して報知音発生部２５から発生する「ピッ」という報知音の発生周期を変化させる。例えば、受信部２２での受信強度が小さい場合は、ゆっくりとした周期で「ピッ」という報知音を報知音発生部２５から発生するようにするが、受信部２２での受信強度が大きくなると、このメガネ探知装置２０は探知対象のメガネ１０に近づいた判断して、「ピッ」という報知音の周期を順次速くなるようにする。
【００２７】
この通常探知モードと詳細探知モードとを設けることによって、例えば、最初はこのメガネ探知装置２０をポケット等に入れて、通常探知モードに設定して探知範囲を歩いて回り、報知音発生部２５から一定の周期の「ピッ」という報知音が発生されるのを待つ。ここで、報知音発生部２５から一定の周期の「ピッ」という報知音が発生されると、このメガネ探知装置２０をポケット等から取り出して、詳細探知モードに切り替えて、このメガネ探知装置２０を探知対象のメガネ１０が存在しそうな方向に向ける。そして、報知音発生部２５から発生する「ピッ」という報知音の周期が短くなる方向に移動する。これにより探知対象のメガネ１０を容易、かつ迅速に発見することができる。
【００２８】
なお、上記実施例では、詳細探知モードにおいて、受信部２２での電波の受信強度に対応して報知音発生部２５から発生する「ピッ」という報知音の周期を変化させるように構成したが、受信部２２での電波の受信強度に対応して報知音発生部２５から発生する報知音の音量を変化させるように構成してもよい。
【００２９】
図４は、図３に示したメガネ探知装置の動作を説明するフローチャートである。メガネ探知装置２０の制御部２６は、まず、このメガネ探知装置２０の電源がＯＮになったかを調べる（ステップ４１）。ここで、このメガネ探知装置２０の電源がＯＮになっていないと（ステップ４１でＮＯ）、ステップ４１に戻り、このメガネ探知装置２０の電源がＯＮになるのを待つが、ステップ４１で、このメガネ探知装置２０の電源がＯＮになったと判断されると（ステップ４１でＹＥＳ）、送信部２１から探知対象のメガネ１０のタグ装置３に対して探知用の電波を送信する（ステップ４２）。ここで、この送信部２１からの探知用の電波の送信は、連続送信してもよいが、一定の間間隔で間欠送信するようにしてもよい。
【００３０】
次に、メガネ探知装置２０の制御部２６は、送信部２１からの探知用の電波の送信に応答して、探知対象メガネ１０のタグ装置３から発信される当該メガネ１０に固有の識別情報を含む電波を受信部２２で受信したかを調べ（ステップ４３）、この受信部２２で受信した電波に含まれる識別情報が、識別情報入力部２３から入力されて予め記憶されている探知対象のメガネ１０の識別情報と一致するかを調べる（ステップ４４）。
【００３１】
なお、ステップ４３で、探知対象メガネ１０のタグ装置３からの当該メガネ１０に固有の識別情報を含む電波を受信部２２で受信していないと判断されると（ステップ４３でＮＯ）、ステップ４３に戻り、また、ステップ４４で、識別情報が一致していないと判断されると（ステップ４４でＮＯ）、ステップ４３に戻る。
【００３２】
ステップ４３で、探知対象メガネ１０のタグ装置３からの当該メガネ１０に固有の識別情報を含む電波を受信部２２で受信し（ステップ４３でＹＥＳ）、ステップ４４で、受信電波に含まれる識別情報と識別情報入力部２３から入力されて記憶されている識別情報とが一致すると判断されると（ステップ４４でＹＥＳ）、次に、モード切替部２４で切り替えられているモードが通常探知モードか、詳細探知モードかを調べる（ステップ４５）。
【００３３】
ここで、モード切替部２４で切り替えられているモードが通常探知モードである場合は（ステップ４５でＹＥＳ）、制御部２６は、受信部２２での電波の受信強度に関わりなく一定の周期、一定の音量の「ピッ」という報知音を報知音発生部２５から発生するように制御する（ステップ４６）。
【００３４】
また、ステップ４５で、モード切替部２４で切り替えられているモードが詳細探知モードである場合は（ステップ４５でＮＯ）、制御部２６は、受信部２２での電波の受信強度に対応して周期が変化する「ピッ」という報知音を報知音発生部２５から発生するように制御する（ステップ４７）。
【００３５】
この動作は、メガネ探知装置２０の電源がＯＦＦになるまで繰り返され、メガネ探知装置２０の電源がＯＦＦになると（ステップ４８でＹＥＳ）、このメガネ探知装置２０のメガネ探知動作を終了する。
【００３６】
なお、この発明は上述の実施形態に限定されるものではなく、この発明の技術的思想の範囲内であれば、当業者の通常の創作能力によって多くの変形が可能である。
【００３７】
例えば、上記実施例では、専用のメガネ探知装置２０を用いてメガネ１０の探知を行うように構成したが、上記メガネ探知装置２０と同様の機能を携帯電話器に組み込み、この携帯電話器を用いてタグ装置３が装着されたメガネ１０を探知するように構成してもよい。
【符号の説明】
【００３８】
１    メガネフレーム
２    レンズ
３    タグ装置
１０    メガネ
１１    鎧部
１２    テンプル部
１３    ブリッジ部
２０    メガネ探知装置
２１    送信部
２２    受信部
２３    識別情報入力部
２４    モード切替部
２５    報知音発生部
２６    制御部
【図１】
2017003672.tif 000003
【図２】
2017003672.tif 000004
【図３】
2017003672.tif 000005
【図４】
2017003672.tif 000006